(57)【要約】  【課題】  リトライ処理の回数を減らし、転送レートの低下を抑制，防止することができる情報再生装置を提供する。  【解決手段】  媒体より取り出した信号を２値化する２値化回路１０３と、２値化回路１０３の出力より、相互に異なる同期信号検出方法によって同期信号を検出してデータを同期化する複数の同期信号検出回路１０４，１０５と、同期信号検出回路１０４，１０５の各々が出力する同期化した再生データを、それぞれ復調する複数の復調回路１０６，１０７とを備え、同期信号検出回路１０４，１０５の同期信号検出状態によって、同期化された複数の再生データから最終的にいずれを再生データとして出力するかを選択しこれを再生中に動的に切り替える構成とした。【選択図】  図１
2007018633.tif 000002
【特許請求の範囲】
【請求項１】
媒体より、該媒体に記録された信号を取り出す信号再生手段と、
前記信号再生手段により取り出した信号を、２値化する２値化回路と、
前記２値化回路の出力より、相互に異なる同期信号検出方法によって同期信号を検出してデータを同期化する複数の同期信号検出回路と、
前記複数の同期信号検出回路の各々が出力する同期化した再生データを、それぞれ復調する複数の復調回路と、
前記複数の復調回路よりの複数の出力信号を、前記媒体よりの信号の再生中に、切り替えて出力する制御回路とを備えた、
ことを特徴とする情報再生装置。
【請求項２】
請求項１記載の情報再生装置において、
前記制御回路は、前記複数の同期信号検出回路の同期検出状態によって、出力信号を切り替える、
ことを特徴とする情報再生装置。
【請求項３】
請求項１記載の情報再生装置において、
前記制御回路は、前記複数の同期信号検出回路の同期信号検出数の比較に基づいて、出力信号を切り替える、
ことを特徴とする情報再生装置。
【請求項４】
媒体より、該媒体に記録された信号を取り出す信号再生手段と、
前記信号再生手段により取り出した信号を、相互に異なる２値化方法で２値化する複数の２値化回路と、
前記複数の２値化回路の各々の出力より、それぞれ同期信号を検出してデータを同期化する複数の同期信号検出回路と、
前記複数の同期信号検出回路の各々が出力する同期化した再生データを、それぞれ復調する複数の復調回路と、
前記複数の復調回路よりの複数の出力信号を、前記媒体よりの信号の再生中に、切り替えて出力する制御回路とを備えた、
ことを特徴とする情報再生装置。
【請求項５】
請求項４記載の情報再生装置において、
前記複数の２値化回路は、相互に異なる閾値で２値化を行なうものである、
ことを特徴とする情報再生装置。
【請求項６】
請求項４または５記載の情報再生装置において、
前記複数の同期信号検出回路は、相互に異なる同期信号検出方法によって同期信号を検出してデータを同期化する、
ことを特徴とする情報再生装置。
【請求項７】
請求項４ないし６のいずれかに記載の情報再生装置において、
前記制御回路は、前記複数の同期信号検出回路の同期検出状態によって、出力信号を切り替える、
ことを特徴とする情報再生装置。
【請求項８】
請求項４ないし６のいずれかに記載の情報再生装置において、
前記制御回路は、前記複数の同期信号検出回路の同期信号検出数の比較に基づいて、出力信号を切り替える、
ことを特徴とする情報再生装置。
【請求項９】
媒体より、該媒体に記録された信号を取り出す信号再生手段と、
前記信号再生手段により取り出した信号の電圧レベルを、相互に異なるゲインで増幅する複数のＶＧＡ（ｖａｒｉａｂｌｅ  ｇａｉｎ  ａｍｐｌｉｆｉｅｒ：可変ゲインアンプ）回路と、
前記複数のＶＧＡ回路の各々の出力を、それぞれ２値化する複数の２値化回路と、
前記複数の２値化回路の各々の出力より、それぞれ同期信号を検出してデータを同期化する複数の同期信号検出回路と、
前記複数の同期信号検出回路の各々が出力する同期化した再生データを、それぞれ復調する複数の復調回路と、
前記複数の復調回路よりの複数の出力信号を、前記媒体よりの信号の再生中に、切り替えて出力する制御回路とを備えた、
ことを特徴とする情報再生装置。
【請求項１０】
請求項９記載の情報再生装置において、
前記複数の２値化回路は、相互に異なる閾値で２値化を行なうものである、
ことを特徴とする情報再生装置。
【請求項１１】
請求項９または１０に記載の情報再生装置において、
前記複数の同期信号検出回路は、相互に異なる同期信号検出方法によって同期信号を検出してデータを同期化する、
ことを特徴とする情報再生装置。
【請求項１２】
請求項９ないし１１のいずれかに記載の情報再生装置において、
前記制御回路は、前記複数の同期信号検出回路の同期検出状態によって、出力信号を切り替える、
ことを特徴とする情報再生装置。
【請求項１３】
請求項９ないし１１のいずれかに記載の情報再生装置において、
前記制御回路は、前記複数の同期信号検出回路の同期信号検出数の比較に基づいて、出力信号を切り替える、
ことを特徴とする情報再生装置。
【発明の詳細な説明】
【技術分野】
【０００１】
本発明は、媒体に記録された信号を再生する情報再生装置に関するものである。
【背景技術】
【０００２】
媒体の信号再生システムとして、記録品質が悪い場合や、指紋・傷等によって、再生が正しく行えなかった場合に、フィルター等の設定値を変更し、再度再生を試みるリトライ処理が設けられている（例えば、特許文献１）。
【特許文献１】特開平１０−８３６２５号公報（第１項）
【発明の開示】
【発明が解決しようとする課題】
【０００３】
しかしながら、指紋や傷により発生する単発のリトライ処理であれば問題はないが、記録品質が悪いディスクを再生した場合は、リトライ処理が頻発することになり、再生することは可能であるが、転送レートが低下してしまう。
【０００４】
この発明は上記の問題点を解消するためになされたもので、リトライ処理の回数を減らし、転送レートの低下を抑制，防止することができる情報再生装置を提供することを目的とする。
【課題を解決するための手段】
【０００５】
この課題を解決するために、本発明（請求項１）に係る情報再生装置は、媒体より、該媒体に記録された信号を取り出す信号再生手段と、前記信号再生手段により取り出した信号を、２値化する２値化回路と、前記２値化回路の出力より、相互に異なる同期信号検出方法によって同期信号を検出してデータを同期化する複数の同期信号検出回路と、前記複数の同期信号検出回路の各々が出力する同期化した再生データを、それぞれ復調する複数の復調回路と、前記複数の復調回路よりの複数の出力信号を、前記媒体よりの信号の再生中に、切り替えて出力する制御回路とを備えた、ことを特徴とするものである。
【０００６】
また、本発明（請求項２）に係る情報再生装置は、請求項１記載の情報再生装置において、前記制御回路が、前記複数の同期信号検出回路の同期検出状態によって、出力信号を切り替える、ことを特徴とするものである。
【０００７】
また、本発明（請求項３）に係る情報再生装置は、請求項１記載の情報再生装置において、前記制御回路が、前記複数の同期信号検出回路の同期信号検出数の比較に基づいて、出力信号を切り替える、ことを特徴とするものである。
【０００８】
また、本発明（請求項４）に係る情報再生装置は、媒体より、該媒体に記録された信号を取り出す信号再生手段と、前記信号再生手段により取り出した信号を、相互に異なる２値化方法で２値化する複数の２値化回路と、前記複数の２値化回路の各々の出力より、それぞれ同期信号を検出してデータを同期化する複数の同期信号検出回路と、前記複数の同期信号検出回路の各々が出力する同期化した再生データを、それぞれ復調する複数の復調回路と、前記複数の復調回路よりの複数の出力信号を、前記媒体よりの信号の再生中に、切り替えて出力する制御回路とを備えた、ことを特徴とするものである。
【０００９】
また、本発明（請求項５）に係る情報再生装置は、請求項４記載の情報再生装置において、前記複数の２値化回路が、相互に異なる閾値で２値化を行なうものである、ことを特徴とするものである。
【００１０】
また、本発明（請求項６）に係る情報再生装置は、請求項４または５記載の情報再生装置において、前記複数の同期信号検出回路が、相互に異なる同期信号検出方法によって同期信号を検出してデータを同期化する、ことを特徴とするものである。
【００１１】
また、本発明（請求項７）に係る情報再生装置は、請求項４ないし６のいずれかに記載の情報再生装置において、前記制御回路が、前記複数の同期信号検出回路の同期検出状態によって、出力信号を切り替える、ことを特徴とするものである。
【００１２】
また、本発明（請求項８）に係る情報再生装置は、請求項４ないし６のいずれかに記載の情報再生装置において、前記制御回路が、前記複数の同期信号検出回路の同期信号検出数の比較に基づいて、出力信号を切り替える、ことを特徴とするものである。
【００１３】
また、本発明（請求項９）に係る情報再生装置は、媒体より、該媒体に記録された信号を取り出す信号再生手段と、前記信号再生手段により取り出した信号の電圧レベルを、相互に異なるゲインで増幅する複数のＶＧＡ回路と、前記複数のＶＧＡ回路の各々の出力を、それぞれ２値化する複数の２値化回路と、前記複数の２値化回路の各々の出力より、それぞれ同期信号を検出してデータを同期化する複数の同期信号検出回路と、前記複数の同期信号検出回路の各々が出力する同期化した再生データを、それぞれ復調する複数の復調回路と、前記複数の復調回路よりの複数の出力信号を、前記媒体よりの信号の再生中に、切り替えて出力する制御回路とを備えた、ことを特徴とするものである。
【００１４】
また、本発明（請求項１０）に係る情報再生装置は、請求項９記載の情報再生装置において、前記複数の２値化回路が、相互に異なる閾値で２値化を行なうものである、ことを特徴とするものである。
【００１５】
また、本発明（請求項１１）に係る情報再生装置は、請求項９または１０に記載の情報再生装置において、前記複数の同期信号検出回路が、相互に異なる同期信号検出方法によって同期信号を検出してデータを同期化する、ことを特徴とするものである。
【００１６】
また、本発明（請求項１２）に係る情報再生装置は、請求項９ないし１１のいずれかに記載の情報再生装置において、前記制御回路が、前記複数の同期信号検出回路の同期検出状態によって、出力信号を切り替える、ことを特徴とするものである。
【００１７】
また、本発明（請求項１３）に係る情報再生装置は、請求項９ないし１１のいずれかに記載の情報再生装置において、前記制御回路が、前記複数の同期信号検出回路の同期信号検出数の比較に基づいて、出力信号を切り替える、ことを特徴とするものである。
【発明の効果】
【００１８】
本発明に係る情報再生装置によれば、媒体より、該媒体に記録された信号を取り出す信号再生手段と、前記信号再生手段により取り出した信号を、２値化する２値化回路と、前記２値化回路の出力より、相互に異なる同期信号検出方法によって同期信号を検出してデータを同期化する複数の同期信号検出回路と、前記複数の同期信号検出回路の各々が出力する同期化した再生データを、それぞれ復調する複数の復調回路と、前記複数の復調回路よりの複数の出力信号を、前記媒体よりの信号の再生中に、切り替えて出力する制御回路とを備え、前記複数の同期信号検出回路の同期信号検出状態や、同期信号検出数によって、同期化された複数の再生データから最終的にいずれを再生データとして出力するかを選択しこれを再生中に動的に切り替える構成としたから、リトライ処理の回数を減らし、転送レートの低下を抑制，防止することができる効果がある。
【００１９】
また、本発明に係る情報再生装置によれば、媒体より、該媒体に記録された信号を取り出す信号再生手段と、前記信号再生手段により取り出した信号を、相互に異なる２値化方法で２値化する複数の２値化回路と、前記複数の２値化回路の各々の出力より、それぞれ同期信号を検出してデータを同期化する複数の同期信号検出回路と、前記複数の同期信号検出回路の各々が出力する同期化した再生データを、それぞれ復調する複数の復調回路と、前記複数の復調回路よりの複数の出力信号を、前記媒体よりの信号の再生中に、切り替えて出力する制御回路とを備え、前記複数の同期信号検出回路の同期信号検出状態や、同期信号検出数によって、同期化された複数の再生データから最終的にいずれを再生データとして出力するかを選択しこれを再生中に動的に切り替える構成としたから、リトライ処理の回数を減らし、転送レートの低下を抑制，防止することができる効果がある。
【００２０】
また、本発明に係る情報再生装置によれば、媒体より、該媒体に記録された信号を取り出す信号再生手段と、前記信号再生手段により取り出した信号の電圧レベルを、相互に異なるゲインで増幅する複数のＶＧＡ回路と、前記複数のＶＧＡ回路の各々の出力を、それぞれ２値化する複数の２値化回路と、前記複数の２値化回路の各々の出力より、それぞれ同期信号を検出してデータを同期化する複数の同期信号検出回路と、前記複数の同期信号検出回路の各々が出力する同期化した再生データを、それぞれ復調する複数の復調回路と、前記複数の復調回路よりの複数の出力信号を、前記媒体よりの信号の再生中に、切り替えて出力する制御回路とを備え、前記該複数の同期信号検出回路の同期信号検出状態や、同期信号検出数によって、同期化された複数の再生データから最終的にいずれを再生データとして出力するか選択しこれを再生中に動的に切り替える構成としたから、リトライ処理の回数を減らし、転送レートの低下を抑制，防止することができる効果がある。
【発明を実施するための最良の形態】
【００２１】
（実施の形態１）
図１は、本発明の実施の形態１による情報再生装置の構成を示すブロック図である。以下、各ブロックについて媒体を光ディスクとして説明を行う。
【００２２】
図１において、１０１は、媒体（光ディスク）よりの反射光を電気信号に変換する光ディテクタを備えた光学ヘッドである。１０２は、光学ヘッド１０１より出力される電気信号を増幅するアンプである。１０３は、アンプ１０２から出力される電気信号を、デジタル信号に変換する２値化回路である。１０４，１０５は、前記２値化回路１０３により変換されたデジタル信号から同期信号を検出し、データを同期化する同期信号検出回路である。ここで同期信号検出回路１０４，１０５は、相互に異なる同期信号検出方法によって同期信号を検出する。相互に異なる同期信号検出方法としては、例えば、一方の同期信号検出回路が、検出した同期信号をそのまま出力する直接デコード方式で同期信号を検出するものとし、他方の同期信号検出回路が、検出した一つの同期信号に基づいて、これに続く同期信号を推測して求める方式で同期信号を検出するものとする。ここで、各同期信号検出回路１０４，１０５を、複数の同期信号検出方法のいずれかを設定入力に応じて選択的に実行できる構成を有するものとし、図示しない設定手段から、同期信号検出回路１０４，１０５が相互に異なる同期信号検出方法によって同期信号を検出するように設定入力を与える構成としてもよい。
【００２３】
また、１０６，１０７は、前記同期化された再生データを復調する復調回路である。１０８，１０９は、復調回路１０６，１０７で復調された再生データを格納するＦＩＦＯである。１１０は、上記同期信号検出回路１０４，１０５の同期検出状態や、同期検出信号検出数と、設定された優先順位によって、データを選択するデータ選択回路である。１１１は、選択されたデータを切り替えるタイミングを、同期信号検出回路１０４，１０５より入力されるタイミング信号から決定し、選択信号と、ロード機能付きＦＩＦＯ１１３へのロード信号を、制御する切り替えタイミング制御回路である。１１２は、切り替えタイミング制御回路１１１が出力する選択信号により出力データを切り替えるセレクタ、１１３は、ロード機能付きＦＩＦＯである。
【００２４】
次に本実施の形態１による情報再生装置の動作を媒体が光ディスクである場合について説明する。図２は本実施の形態１による情報再生装置の動作を示すタイミングチャート図である。
【００２５】
媒体よりの反射光は、光学ヘッド１０１に備えた光ディテクタにより電気信号に変換され、アンプ１０２で増幅され、２値化回路１０３によってデジタル信号に変換され、デジタル信号ＤＩＧＩ＿ＯＵＴとして出力される。変換されたデジタル信号ＤＩＧＩ＿ＯＵＴは、同期信号検出回路１０４，１０５に入力される。同期信号は、図７に示すように、一定のデータ毎の先頭に付加されており、データとは異なった固有のパターン列になっている。同期信号は、入力データの品質や、同期信号検出回路の状態によっては正しく検出できない場合もあるが、同期信号を同期信号検出回路１０４，１０５によって正しく検出することで、再生データを同期化することができる。各々の同期信号検出回路１０４，１０５で同期化された再生データＳＤＡＴＡ１，ＳＤＡＴＡ２を、復調回路１０６，１０７のそれぞれに入力し、復調された復調信号ＤＤＡＴＡ１，ＤＤＡＴＡ２を、ＦＩＦＯ１０８，１０９に入力する。そして、同期信号検出回路１０４，１０５のそれぞれから出力される同期信号検出状態ＳＴＡＴＥ１，ＳＴＡＥＴ２、確認タイミング信号ＴＩＭＩＮＧ１，ＴＩＭＩＮＧ２、および同期信号の検出数ＶＡＬＵＥ１，ＶＡＬＵＥ２が、データ選択回路１１０に入力される。確認タイミング信号ＴＩＭＩＧ１，ＴＩＭＩＮＧ２は、図７に示すように、同期信号を検出する度に出力される信号である。ここで、確認タイミング信号ＴＩＭＩＮＧ１、ＴＩＭＩＮＧ２は、同期信号を複数回検出する毎に出力される信号としてもよく、また、同期信号を検出できない時は、補間される信号を用いることもできる。データ選択回路１１０は、それぞれの確認タイミング信号ＴＩＭＩＮＧ１，ＴＩＭＩＮＧ２のタイミングで、それぞれの同期検出状態ＳＴＡＴＥ１，ＳＴＡＴＥ２を確認し、設定されている優先順位ＰＲＩＯＲＩＴＹにより、出力する再生データを選択し、選択信号ＳＥＬを出力する。図２の例では、ＤＡＴＡ１を優先して出力する設定としている。
【００２６】
図２において、確認タイミング信号ＴＩＭＩＮＧ１，ＴＩＭＩＮＧ２の前では、選択信号ＳＥＬはＤＡＴＡ１を選択しているが、確認タイミング信号のタイミングでは、同期信号検出回路１０４の同期状態を示すＳＴＡＴＥ１が同期ＮＧであることを示し、一方、同期信号検出回路１０５の同期状態を示すＳＴＡＴＥ２が同期ＯＫであることを示しているので、ＤＡＴＡ２を選択するように選択信号ＳＥＬが変更される。また、図示はしていないが、選択信号ＳＥＬがＤＡＴＡ２を選択している状態で、確認タイミング信号のタイミングで、ＳＴＡＴＥ２が同期ＮＧであることを示し、ＳＴＡＴＥ１が同期ＯＫであることを示している場合は、ＤＡＴＡ１を選択するように選択信号ＳＥＬが変更される。また、確認タイミング信号のタイミングで、同期状態ＳＴＡＴＥ１，ＳＴＡＴＥ２がともに、同期ＯＫを示している場合は、設定された優先順位により選択信号ＳＥＬはＤＡＴＡ１を選択する。そして、再生データ切り替えタイミング制御回路１１１は、同期信号検出回路１０４，１０５のそれぞれの確認タイミング信号ＴＩＭＩＮＧ１，ＴＩＭＩＮＧ２から、再生データを切り替えるタイミングと、ロード機能付きＦＩＦＯ１１３のロード信号の出力タイミングを決定し、再生データを出力するためのセレクタ回路１１２の出力するセレクト信号ＳＥＬ＿ＯＵＴを切り替え、ロード機能付きＦＩＦＯ１１３のロード信号ＦＬＯＡＤを出力する。そうして、再生データのセレクタ回路１１２は、セレクト信号ＳＥＬ＿ＯＵＴで選択されたＦＩＦＯ１０８もしくはＦＩＦＯ１０９からの再生データＳＥＬ＿ＤＡＴＡを、ロード機能付きＦＩＦＯ１１３に出力し、該ＦＩＦＯ１１３は、ロード信号ＦＬＯＡＤのタイミングで、ＳＥＬ＿ＤＡＴＡをロードし、Ｆ＿ＯＵＴ３を出力する。
【００２７】
上述のように、本実施の形態１による情報再生装置においては、同期信号検出回路１０４の同期状態が同期ＮＧになり、正しくＳＤＡＴＡ１を生成できなくなっているが、同期信号検出回路１０４とは同期信号の検出方法が異なる同期信号検出回路１０５の同期状態は同期ＯＫであり、ＳＤＡＴＡ２を正しく生成できているため、ＤＡＴＡ２を選択するように切り替えることで、Ｆ＿ＯＵＴ３には、正しい再生データを出力することができている。そのため、従来の信号再生装置では、再生エラーとなりリトライ処理が発生するような条件においても、本実施の形態による情報再生装置では、リトライ処理を発生させることなく、信号を再生することができる。
【００２８】
以上のように本実施の形態１によれば、媒体より取り出した信号を２値化する２値化回路１０３と、２値化回路１０３の出力より、相互に異なる同期信号検出方法によって同期信号を検出してデータを同期化する複数の同期信号検出回路１０４，１０５と、複数の同期信号検出回路１０４，１０５の各々が出力する同期化した再生データを、それぞれ復調する複数の復調回路１０６，１０７とを備え、複数の同期信号検出回路１０４，１０５の同期信号検出状態によって、同期化された複数の再生データから最終的にいずれを再生データとして出力するかを選択しこれを再生中に動的に切り替える構成としたから、再生性能を向上させ、リトライ処理の回数を減らし、転送レートの低下を抑制，防止することができる。
【００２９】
（実施の形態２）
図３は、本発明の実施の形態２のよる情報再生装置の構成を示すブロック図である。以下、各ブロックについて媒体を光ディスクとして説明を行う。
【００３０】
図３において、３０１は、媒体（光ディスク）よりの反射光を電気信号に変換する光ディテクタを備えた光学ヘッドである。３０２は、光学ヘッド３０１より出力される電気信号を増幅するアンプである。３０３，３０４は、アンプ３０２が出力する電気信号をデジタル信号に変換する２値化回路である。ここで、２値化回路３０３，３０４は相互に異なる２値化方法により２値化を行なうものである。相互に異なる２値化方法としては、例えば、２値化を行なう閾値を相互に異なるものとする。ここで、各２値化回路３０３，３０４を、設定入力に応じて２値化を行なう閾値を選択できる構成を有するものとし、図示しない設定手段から、２値化回路３０３，３０４が相互に異なる閾値で２値化を行なうように設定入力を与える構成としてもよい。３０５，３０６は、変換されたデジタル信号から同期信号を検出し、データを同期化する同期信号検出回路である。
【００３１】
また、３０７，３０８は、前記同期化された再生データを復調する復調回路である。３０９，３１０は、復調回路３０７，３０８で復調された再生データを格納するＦＩＦＯである。３１１は、上記同期信号検出回路３０５，３０６の同期検出状態や、同期検出信号検出数と、設定された優先順位によってデータを選択するデータ選択回路である。３１２は、選択されたデータを切り替えるタイミングを、同期信号検出回路３０５，３０６より入力されるタイミング信号から決定し、選択信号と、ロード機能付きＦＩＦＯ３１４へのロード信号を制御する切り替えタイミング制御回路である。３１３は、切り替えタイミング制御回路３１２が出力する選択信号により出力データを切り替えるセレクタ、３１４は、ロード機能付きＦＩＦＯである。
【００３２】
次に本実施の形態２による情報再生装置の動作を媒体が光ディスクである場合について説明する。図４は本実施の形態２による情報再生装置の動作を示すタイミングチャート図である。
【００３３】
媒体よりの反射光は、光学ヘッド３０１に備えた光ディテクタにより電気信号に変換され、アンプ３０２で増幅され、２値化回路３０３，３０４に入力され、各々の２値化回路でデジタル信号に変換され、デジタル信号ＤＩＧＩ＿ＯＵＴ１，ＤＩＧＩ＿ＯＵＴ２として出力される。変換されたデジタル信号ＤＩＧＩ＿ＯＵＴは、同期信号検出回路３０５，３０６に入力される。同期信号は、図７に示すように、一定のデータ毎の先頭に付加されており、データとは異なった固有のパターン列になっている。同期信号は、入力データの品質や、同期信号検出回路の状態によっては正しく検出できない場合もあるが、同期信号を同期信号検出回路３０５，３０６によって正しく検出することで、再生データを同期化することができる。各々の同期信号検出回路３０５，３０６で同期化された再生データＳＤＡＴＡ１，ＳＤＡＴＡ２を、復調回路３０７，３０８のそれぞれに入力し、復調された復調信号ＤＤＡＴＡ１，ＤＤＡＴＡ２を、ＦＩＦＯ３０９，３１０に入力する。そして、同期信号検出回路３０５，３０６のそれぞれから出力される同期信号検出状態ＳＴＡＴＥ１，ＳＴＡＥＴ２、確認タイミング信号ＴＩＭＩＮＧ１，ＴＩＭＩＮＧ２、および同期信号の検出数ＶＡＬＵＥ１，ＶＡＬＵＥ２が、データ選択回路３１１に入力される。確認タイミング信号ＴＩＭＩＮＧ１，ＴＩＭＩＮＧ２は、図７に示すように、同期信号を検出する度に出力される信号である。ここで、確認タイミング信号ＴＩＭＩＮＧ１、ＴＩＭＩＮＧ２は、同期信号を複数回検出する毎に出力される信号としてもよく、また、同期信号を検出できない時は、補間される信号を用いることもできる。データ選択回路３１１は、それぞれの確認タイミング信号ＴＩＭＩＮＧ１，ＴＩＭＩＮＧ２のタイミングで、それぞれの同期検出状態ＳＴＡＴＥ１，ＳＴＡＴＥ２を確認し、設定されている優先順位ＰＲＩＯＲＩＴＹにより、再生するデータを選択し、選択信号ＳＥＬを出力する。図４の例では、ＤＡＴＡ１を優先して出力する設定としている。
【００３４】
図４において、確認タイミング信号ＴＩＭＩＮＧ１，ＴＩＭＩＮＧ２の前では、選択信号ＳＥＬはＤＡＴＡ１を選択しているが、確認タイミング信号のタイミングでは、同期信号検出回路３０５の同期状態を示すＳＴＡＴＥ１が同期ＮＧであることを示し、一方、同期信号検出回路３０６の同期状態を示すＳＴＡＴＥ２が同期ＯＫであることを示しているので、ＤＡＴＡ２を選択するように、選択信号ＳＥＬが変更される。また、図示はしていないが、選択信号ＳＥＬがＤＡＴＡ２を選択している状態で、確認タイミング信号のタイミングで、ＳＴＡＴＥ２が同期ＮＧであることを示し、ＳＴＡＴＥ１が同期ＯＫであることを示している場合は、ＤＡＴＡ１を選択するように選択信号ＳＥＬが変更される。また、確認タイミング信号のタイミングで、同期状態ＳＴＡＴＥ１，ＳＴＡＴＥ２がともに、同期ＯＫを示している場合は、設定された優先順位により選択信号ＳＥＬはＤＡＴＡ１を選択する。そして、再生データ切り替えタイミング制御回路３１２は、同期信号検出回路３０５，３０６のそれぞれの確認タイミング信号ＴＩＭＩＮＧ１，ＴＩＭＩＮＧ２から、再生データを切り替えるタイミングと、ロード機能付きＦＩＦＯ３１４のロード信号の出力タイミングを決定し、再生データを出力するためのセレクタ回路３１３の出力するセレクト信号ＳＥＬ＿ＯＵＴを切り替え、ロード機能付きＦＩＦＯ３１４のロード信号ＦＬＯＡＤを出力する。そうして、再生データのセレクタ回路３１３は、セレクト信号ＳＥＬ＿ＯＵＴで選択されたＦＩＦＯ３０９もしくはＦＩＦＯ３１０からの再生データＳＥＬ＿ＤＡＴＡを、ロード機能付きＦＩＦＯ３１４に出力し、該ＦＩＦＯ３１４は、ロード信号ＦＬＯＡＤのタイミングで、ＳＥＬ＿ＤＡＴＡをロードし、Ｆ＿ＯＵＴ３を出力する。
【００３５】
上述のように、本実施の形態２による情報再生装置においては、２値化回路３０３の出力から同期信号を検出する同期信号検出回路３０５が同期ＮＧになり正しくＳＤＡＴＡ１を生成できなくなっているが、２値化回路３０３とは２値化方法が異なる２値化回路３０４の出力から同期信号を検出する同期信号検出回路３０６は同期ＯＫであり、ＳＤＡＴＡ２を正しく生成できているため、ＤＡＴＡ２を選択するように切り替えることで、Ｆ＿ＯＵＴ３には、正しい再生データを出力することができている。そのため、従来の信号再生装置では、再生エラーとなりリトライ処理が発生するような条件においても、本実施の形態による情報再生装置では、リトライ処理を発生させることなく、信号を再生することができる。
【００３６】
以上のように本実施の形態２によれば、媒体より取り出した信号を、相互に異なる２値化方法で２値化する複数の２値化回路３０３，３０４と、複数の２値化回路３０３，３０４の各々の出力より、それぞれ同期信号を検出してデータを同期化する複数の同期信号検出回路３０５，３０６と、複数の同期信号検出回路３０５，３０６の各々が出力する同期化した再生データを、それぞれ復調する複数の復調回路３０７，３０８とを備え、複数の同期信号検出回路３０５，３０６の同期信号検出状態によって、同期化された複数の再生データから最終的にいずれを再生データとして出力するかを選択しこれを再生中に動的に切り替える構成としたから、リトライ処理の回数を減らし、転送レートの低下を抑制，防止することができる。
【００３７】
なお、上記実施の形態２では、２値化回路、同期信号検出回路をそれぞれ複数設けたものにおいて、複数の２値化回路が相互に異なる２値化方法で２値化を行なうものについて説明したが、さらに複数の同期信号検出回路が相互に異なる同期信号検出方法によって同期信号を検出するものとしてもよく、上記実施の形態２と同様の効果を奏する。
【００３８】
（実施の形態３）
図５は、本発明の実施の形態３による情報再生装置の構成を示すブロック図である。以下、各ブロックについて媒体を光ディスクとして説明を行う。
【００３９】
図５において、５０１は、媒体（光ディスク）よりの反射光を電気信号に変換する光ディテクタを備えた光学ヘッドである。５０２は、光学ヘッド５０１より出力される電気信号を増幅するアンプである。５０３，５０４は、アンプ５０２より出力される電気信号の電圧を相互に異なるゲインで増幅するＶＧＡ（ｖａｒｉａｂｌｅ  ｇａｉｎ  ａｍｐｌｉｆｉｅｒ：可変ゲインアンプ）である。５０５，５０６は、ＶＧＡ５０３、５０４より出力される電気信号をデジタル信号に変換する２値化回路である。５０７，５０８は、変換されたデジタル信号から同期信号を検出し、データを同期化する同期信号検出回路である。
【００４０】
また、５０９，５１０は、前記同期化された再生データを復調する復調回路である。５１１，５１２は、復調回路５０９，５１０で復調された再生データを格納するＦＩＦＯである。５１３は、上記同期信号検出回路５０７，５０８の同期検出状態や、同期検出信号検出数と、設定された優先順位によってデータを選択するデータ選択回路である。５１４は、選択されたデータを切り替えるタイミングを、同期信号検出回路５０７，５０８より入力されるタイミング信号から決定し、選択信号と、ロード機能付きＦＩＦＯ５１６へのロード信号を制御する切り替えタイミング制御回路である。５１５は、切り替えタイミング制御回路５１４が出力する選択信号により出力データを切り替えるセレクタ、５１６は、ロード機能付きＦＩＦＯである。
【００４１】
次に本実施の形態３による情報再生装置の動作を媒体が光ディスクである場合について説明する。図６は本実施の形態３による情報再生装置の動作を示すタイミングチャート図である。
【００４２】
媒体よりの反射光は、光学ヘッド５０１に備えた光ディテクタにより電気信号に変換され、アンプ５０２で増幅され、さらにＶＧＡ５０３，５０４で設定されたゲインでそれぞれ電圧が増幅されたＶＧＡ＿ＯＵＴ１，ＶＧＡ＿ＯＵＴ２が、２値化回路５０５，５０６に入力され、各々の２値化回路５０５，５０６でデジタル信号に変換され、デジタル信号ＤＩＧＩ＿ＯＵＴ１，ＤＩＧＩ＿ＯＵＴ２として出力される。変換されたデジタル信号ＤＩＧＩ＿ＯＵＴ１，ＤＩＧＩ＿ＯＵＴ２はそれぞれ、同期信号検出回路５０７，５０８に入力される。同期信号は、図７に示すように、一定のデータ毎の先頭に付加されており、データとは異なった固有のパターン列になっている。同期信号は、入力データの品質や、同期信号検出回路の状態によっては正しく検出できない場合もあるが、同期信号を、同期信号検出回路５０７，５０８によって正しく検出することで、再生データを同期化することができる。各々の同期信号検出回路５０７，５０８で同期化された再生データＳＤＡＴＡ１，ＳＤＡＴＡ２を、復調回路５０９，５１０のそれぞれに入力し、復調された復調信号ＤＤＡＴＡ１，ＤＤＡＴＡ２を、ＦＩＦＯ５１１，５１２に入力する。そして、同期信号検出回路５０７，５０８のそれぞれから出力される同期信号検出状態ＳＴＡＴＥ１，ＳＴＡＥＴ２、確認タイミング信号ＴＩＭＩＮＧ１，ＴＩＭＩＮＧ２、および同期信号の検出数を示す信号ＶＡＬＵＥ１，ＶＡＬＵＥ２が、データ選択回路５１３に入力される。確認タイミング信号ＴＩＭＩＮＧ１，ＴＩＭＩＮＧ２は、図７に示すように、同期信号を検出する度に出力される信号である。ここで、確認タイミング信号ＴＩＭＩＮＧ１、ＴＩＭＩＮＧ２は、同期信号を複数回検出する毎に出力される信号としてもよく、また、同期信号を検出できない時は、補間される信号を用いることもできる。データ選択回路５１３は、それぞれの確認タイミング信号ＴＩＭＩＮＧ１，ＴＩＭＩＮＧ２のタイミングで、それぞれの同期検出状態ＳＴＡＴＥ１，ＳＴＡＴＥ２を確認し、設定されている優先順位ＰＲＩＯＲＩＴＹにより、再生するデータを選択し、選択信号ＳＥＬを出力する。図６の例では、ＤＡＴＡ１を優先して出力する設定としている。
【００４３】
図６において、確認タイミング信号ＴＩＭＩＧ１，ＴＩＭＩＮＧ２の前では、選択信号ＳＥＬはＤＡＴＡ１を選択しているが、確認タイミング信号のタイミングでは、同期信号検出回路５０７の同期状態を示すＳＴＡＴＥ１が同期ＮＧであることを示し、一方、同期信号検出回路５０８の同期状態を示すＳＴＡＴＥ２が同期ＯＫであることを示しているので、ＤＡＴＡ２を選択するように選択信号ＳＥＬが変更される。また、図示はしていないが、選択信号ＳＥＬがＤＡＴＡ２を選択している状態で、確認タイミング信号のタイミングで、ＳＴＡＴＥ２が同期ＮＧであることを示し、ＳＴＡＴＥ１が同期ＯＫであることを示している場合は、ＤＡＴＡ１を選択するように選択信号ＳＥＬが変更される。また、確認タイミング信号のタイミングで、同期状態ＳＴＡＴＥ１，ＳＴＡＴＥ２がともに、同期ＯＫを示している場合は、設定された優先順位により選択信号ＳＥＬはＤＡＴＡ１を選択する。そして、再生データ切り替えタイミング制御回路５１４は、同期信号検出回路５０７，５０８のそれぞれの確認タイミング信号ＴＩＭＩＮＧ１、ＴＩＭＩＮＧ２から、再生データを切り替えるタイミングと、ロード機能付きＦＩＦＯ５１６のロード信号の出力タイミングを決定し、再生データを出力するためのセレクタ回路５１５、の出力するセレクト信号ＳＥＬ＿ＯＵＴを切り替え、ロード機能付きＦＩＦＯ５１６へのロード信号ＦＬＯＡＤを出力する。そうして、再生データのセレクタ回路５１５は、セレクト信号ＳＥＬ＿ＯＵＴで選択されたＦＩＦＯ５１１もしくはＦＩＦＯ５１２からの再生データＳＥＬ＿ＤＡＴＡを、ロード機能付きＦＩＦＯ５１７に出力し、ＦＩＦＯ５１７は、ロード信号ＦＬＯＡＤのタイミングで、ＳＥＬ＿ＤＡＴＡをロードし、Ｆ＿ＯＵＴ３を出力する。
【００４４】
なお以上では、確認タイミング信号ＴＩＭＩＮＧ１，ＴＩＭＩＮＧ２は、同期信号を検出する度に出力するもの、として説明したが、複数回検出する毎や、検出されない時は、補間される信号を用いることもできる。
【００４５】
上述のように、本実施の形態３による情報再生装置においては、ＶＧＡ５０３の出力を２値化する２値化回路５０５の出力から同期信号を検出する同期信号検出回路５０７の同期状態が同期ＮＧになり正しくＳＤＡＴＡ１を生成できなくなっているが、ＶＧＡ５０３とはゲインの異なるＶＧＡ５０４の出力を２値化する２値化回路５０６の出力から同期信号を検出する同期信号検出回路５０８の同期状態は同期ＯＫであり、ＳＤＡＴＡ２を正しく生成できているため、ＤＡＴＡ２を選択するように切り替えることで、Ｆ＿ＯＵＴ３には、正しい再生データを出力することができている。そのため、従来の信号再生装置では、再生エラーとなりリトライ処理が発生するような条件においても、本実施の形態による情報再生装置では、リトライ処理を発生させることなく、信号を再生することができる。
【００４６】
以上のように本実施の形態３によれば、媒体より取り出した信号の電圧レベルを相互に異なるゲインで増幅する複数のＶＧＡ回路５０３，５０４と、複数のＶＧＡ回路５０３，５０４の各々の出力をそれぞれ２値化する複数の２値化回路５０５，５０６と、複数の２値化回路５０５，５０６の各々の出力よりそれぞれ同期信号を検出してデータを同期化する複数の同期信号検出回路５０７，５０８と、複数の同期信号検出回路５０７，５０８の各々が出力する同期化した再生データをそれぞれ復調する複数の復調回路５０９，５１０とを備え、複数の同期信号検出回路５０７，５０８の同期信号検出状態によって、同期化された複数の再生データから最終的にいずれを再生データとして出力するかを選択しこれを再生中に動的に切り替える構成としたから、リトライ処理の回数を減らし、転送レートの低下を抑制，防止することができる。
【００４７】
なお、上記実施の形態３では、ＶＧＡ回路、２値化回路、同期信号検出回路をそれぞれ複数設けたものにおいて、複数のＶＧＡ回路のゲインを相互に異なるものとしたものについて説明したが、さらに複数の２値化回路を相互に異なる２値化方法で２値化を行なうものとしてもよく、また、さらに複数の同期信号検出回路が相互に異なる同期信号検出方法によって同期信号を検出するものとしてもよく、上記実施の形態３と同様の効果を奏する。
【００４８】
また、上記実施の形態１〜３では、複数の同期信号検出回路の同期信号検出状態ＳＴＡＴＥ１，ＳＴＡＴＥ２によって、出力する再生データを切り替えるものについて説明したが、複数の同期信号検出回路がそれぞれ検出した同期信号の検出数ＶＡＬＵＥ１，ＶＡＬＵＥ２を比較して、検出数の多いほうの同期信号検出回路によって同期化された再生データを出力するように出力データを切り換えるようにしてもよく、上記各実施の形態と同様の効果を奏する。
【産業上の利用可能性】
【００４９】
本発明によれば、光ディスク再生装置、磁気ディスク再生装置等の再生動作におけるリトライ処理の回数を減らし、転送レートの低下を抑制，防止することができ、再生性能を向上することができる。
【図面の簡単な説明】
【００５０】
【図１】本発明の実施の形態１による情報再生装置の構成を示すブロック図である。
【図２】本発明の実施の形態１における情報再生の流れを示したタイミングチャート図である。
【図３】本発明の実施の形態２による情報再生装置の構成を示すブロック図である。
【図４】本発明の実施の形態２における情報再生の流れを示したタイミングチャート図である。
【図５】本発明の実施の形態３による情報再生装置の構成を示すブロック図である。
【図６】本発明の実施の形態３による情報再生の流れを示したタイミングチャート図である。
【図７】本発明における同期信号検出回路の動作を示したタイミングチャート図である。
【符号の説明】
【００５１】
１０１，３０１，５０１  光学ヘッド
１０２，３０２，５０２  アンプ
５０３，５０４  ＶＧＡ
１０３，３０３，３０４，５０５，５０６  ２値化回路
１０４，１０５，３０５，３０６，５０７，５０８  同期信号検出回路
１０６，１０７，３０７，３０８，５０９，５１０  復調回路
１０８，１０９，３０９，３１０，５１１，５１２  ＦＩＦＯ
１１０，３１１，５１３  データ選択回路
１１１，３１２，５１４  切り替えタイミング制御回路
１１２，３１３，５１５  セレクタ
１１３，３１４，５１６  ロード機能付きＦＩＦＯ
ＤＩＧＩ＿ＯＵＴ、ＤＩＧＩ＿ＯＵＴ１、ＤＩＧＩ＿ＯＵＴ２  デジタル信号に変換された再生データ
ＳＤＡＴＡ１、ＳＤＡＴＡ２  同期化された再生データ
ＤＤＡＴＡ１、ＤＤＡＴＡ２  復調された再生データ
ＶＧＡ＿ＯＵＴ１、ＶＧＡ＿ＯＵＴ２  ＶＧＡによって増幅された電気信号
ＳＴＡＴＥ、ＳＴＡＴＥ１、ＳＴＡＴＥ２  同期信号検出状態
ＴＩＭＩＮＧ、ＴＩＭＩＮＧ１、ＴＩＭＩＮＧ２  同期状態確認タイミング信号
【図１】
2007018633.tif 000003
【図２】
2007018633.tif 000004
【図３】
2007018633.tif 000005
【図４】
2007018633.tif 000006
【図５】
2007018633.tif 000007
【図６】
2007018633.tif 000008
【図７】
2007018633.tif 000009